(57)【特許請求の範囲】
【請求項１】
複数の充電可能な電池の充放電制御を行う電子機器であって，
前記複数の充電可能な電池と外部電源とを負荷に対して並列に接続するための電力供給線と，
前記複数の充電可能な電池を並列に充電する充電回路と，
前記外部電源から電力が供給されているか否かを電位検出によって検出し，前記外部電源からの電力供給が検出される場合に前記複数の充電可能な電池の負極側とグランド間に設けられたトランジスタにより該電池の負極側をグランドから切り離し，前記電池から電力が供給される場合に該トランジスタにより該電池の負極側をグランドに接続する回路とを備える
ことを特徴とする電子機器。
【請求項２】
複数の充電可能な電池と，
前記複数の充電可能な電池と外部電源とを負荷に対して並列に接続するための電力供給線と，
前記複数の充電可能な電池を並列に充電する充電回路と，
前記外部電源から電力が供給されているか否かを電位検出によって検出し，前記外部電源からの電力供給が検出される場合に前記複数の充電可能な電池の負極側とグランド間に設けられたトランジスタにより該電池の負極側をグランドから切り離し，前記電池から電力が供給される場合に該トランジスタにより該電池の負極側をグランドに接続する回路とを備える
ことを特徴とする電子機器。
【請求項３】
複数の充電可能な電池を使用可能な電子機器における充放電制御装置であって，
該電子機器において該複数の充電可能な電池と外部電源とが負荷に対して電力供給線によって並列に接続されており，
前記複数の充電可能な電池を並列に充電する充電回路と，
前記外部電源から電力が供給されているか否かを電位検出によって検出し，前記外部電源からの電力供給が検出される場合に前記複数の充電可能な電池の負極側とグランド間に設けられたトランジスタにより該電池の負極側をグランドから切り離し，前記電池から電力が供給される場合に該トランジスタにより該電池の負極側をグランドに接続する回路とを備える
ことを特徴とする充放電制御装置。
【発明の詳細な説明】
【０００１】
【発明の属する技術分野】
本発明は，ノートパソコン等の携帯型電子機器に用いられる充電器の充放電制御装置および定電圧定電流制御回路等の技術に関する。
【０００２】
ノートパソコン等の携帯型電子機器においては，装置用の電源として電池が搭載されているが，装置の運用コストや瞬間的に放電可能な電流容量等の関係で，Ｎｉｃａｄ等の二次電池が搭載されているのが一般的である。また，装置にＡＣアダプター等を接続するだけで簡単に装置内蔵の二次電池に対して充電ができるように，充電回路も内蔵している例が多い。
【０００３】
このような装置において，複数の電池への並列充電を可能にし，また放電時の電力損失をできるだけ小さくして，電池の効率的利用を可能とする技術が望まれている。本発明は，これらの課題を解決するための技術に関するものである。
【０００４】
【従来の技術】
電子機器を電池で動作させる場合，一般的に電池の電圧は放電が進むに従って低下していくため，電子機器内部で使用する電圧を一定に保つためにＤＣ−ＤＣコンバータにより電池出力の定電圧化を計っている。ＤＣ−ＤＣコンバータにより電池出力の安定化を計る場合，電子機器に搭載する電池の電圧およびＡＣアダプター等の外部から供給される電圧と，電子機器本体内部で使用する電圧の関係に付いては，以下の２つの場合がある。
【０００５】
１つは装置で使用する電圧よりも高い電圧を電池で供給して，ＤＣ−ＤＣコンバータにより電子機器内部で使用する電圧まで電圧を下げる方式であり，このタイプのＤＣ−ＤＣコンバータをステップダウン型（降圧型）と言う。
【０００６】
他の１つは，装置で使用する電圧よりも低い電圧を電池で供給して，ＤＣ−ＤＣコンバータにより電子機器内部で使用する電圧まで電圧を上げる方式であり，このタイプのＤＣ−ＤＣコンバータをステップアップ型（昇圧型）と言う。
【０００７】
電子機器において，降圧型を使用するか昇圧型を使用するかは，装置の消費電力や二次電池での運用時間，あるいは装置サイズ，装置重量等により異なる。
【０００８】
以下，ＤＣ−ＤＣコンバータの各方式に従って，従来技術を説明する。
【０００９】
装置で使用する電圧よりも高い電圧を二次電池で供給するようなタイプでの内蔵充電器の構成についてまず説明する。その構成例を，図１１に示す。
【００１０】
図１１において，５００はＤＣ−ＤＣコンバータ，５０１はＤＣ−ＤＣ制御部，５１０は充電を制御する充電制御部，５２０はＡＣアダプター等が接続されるＤＣコネクター，５３０は充電器を構成する充電用定電流回路，５３１は定電流制御部，５４０は二次電池，Ｔｒ５１，Ｔｒ５２はトランジスタ，Ｄ５１〜Ｄ５５はダイオード，Ｆ５１，Ｆ５２はヒューズ，Ｌ５１，Ｌ５２はチョークコイル，Ｃ５１，Ｃ５２はコンデンサ，Ｒ５１〜Ｒ５３は抵抗を表す。
【００１１】
ＤＣコネクター５２０は，装置をＡＣアダプター等の外部電源により運転するとき，あるいは装置内蔵の二次電池５４０に充電を行うために，外部から電源を供給するためのコネクターである。ＤＣ−ＤＣコンバータ５００は，ＤＣコネクター５２０経由で供給される外部電源，または内蔵二次電池５４０から電力の供給を受けて，装置が必要とする電圧を作成するための装置用の電源である。
【００１２】
充電用定電流回路５３０は，ＤＣコネクター５２０経由で外部より電力が供給されており，且つ充電制御部５１０により，二次電池５４０への充電が指示されているとき，二次電池５４０を充電するのに必要な電力を作成するための定電流電源である。
【００１３】
充電制御部５１０は，二次電池５４０に対して充電を行うための制御部である。充電用定電流回路５３０に対して充電の開始，停止，終了等の指示も充電制御部５１０が行う。
【００１４】
ダイオードＤ５１は，ＤＣコネクター５２０にＡＣアダプター等が接続されているが，ＡＣアダプターにＡＣ電源が供給されていない等の理由によりＡＣアダプターが非動作状態にあるとき，内蔵二次電池５４０から電力が外部に流出するのを防止するための逆流阻止用保護ダイオードである。
【００１５】
ダイオードＤ５２は，外部より電力が供給されていないとき，ＤＣ−ＤＣコンバータ５００に二次電池５４０からの電力を供給すると共に，ＤＣコネクター５２０経由で外部より電力が供給されているとき，その電圧が二次電池５４０に印加されるのを防止するための保護ダイオードである。
【００１６】
ダイオードＤ５５は，二次電池５４０から充電用定電流回路５３０への逆流を防止するためのダイオードである。
【００１７】
ＤＣ−ＤＣコンバータ５００および充電用定電流回路５３０の構成は，スイッチング方式のレギュレーター等の一般的なものであるため，ここでの詳細な説明は省略する。なお，定電流制御部５３１に利用できるものとして，例えば富士通製ＩＣのＭＢ３７５９等がある。また，ＤＣ−ＤＣ制御部５０１に利用できるものとして，例えば富士通製ＩＣのＭＢ３７７６Ａ等がある。
【００１８】
ＤＣコネクター５２０にＡＣアダプター等が接続され外部より電力が供給されているとき，ＤＣ−ＤＣコンバータ５００にはダイオードＤ５１を介して外部電力が印加され，ＤＣ−ＤＣコンバータ５００は装置が必要とする電圧を作成する。このとき，外部電源から供給される電力はダイオードＤ５２に阻止され，二次電池５４０に印加されることはない。
【００１９】
外部より電力が供給されているとき，二次電池５４０に対して電力が供給され充電が行われるのは，充電制御部５１０の指示により充電用定電流回路５３０が動作し，充電用の電力を作成しているときだけである。充電用定電流回路５３０が停止しているときには，トランジスタＴｒ５１により回路が遮断されるため二次電池５４０への電力供給は行われない。
【００２０】
外部からの電力供給が途絶えたとき，ＤＣ−ＤＣコンバータ５００への電力供給は二次電池５４０よりダイオードＤ５２を介して供給される。一方，ダイオードＤ５１，Ｄ５５により，二次電池５４０からの出力がＤＣ−ＤＣコンバータ５００以外への電力流出を防止する。
【００２１】
二次電池５４０への充電を行うときは，二次電池５４０を充電するのに必要な電圧が充電用定電流回路５３０を介して，電池の正極側に印加されるが，この電圧はそのままダイオードＤ５２を介してＤＣ−ＤＣコンバータ５００にも印加される。Ｎｉｃａｄ等の一般的な二次電池を充電するのに必要な電圧の最大は，電池電圧の１．７倍程度になるが，ＤＣ−ＤＣコンバータ５００は降圧型であるため，この電圧は問題にはならない。
【００２２】
以上のような従来の方式においては，二次電池５４０への充電用パスと二次電池５４０からの放電用パスとを分離して，二次電池５４０への充電防止保護を行うためのダイオードＤ５２が必要であった。しかし，二次電池５４０からＤＣ−ＤＣコンバータ５００に電力を供給する場合，ダイオードＤ５２による電圧の降下があり電池使用効率低下の原因であった。
【００２３】
ダイオードＤ５２による電圧降下は，０．５５Ｖ〜０．７Ｖにも達し，例えばＮｉｃａｄ電池６本を使用した装置を例にとると，その電力損失は電池の容量の７．６％〜１０％にも達する。
【００２４】
装置がさらに小型化になり，例えばＮｉｃａｄ電池２本で運用するような装置に至っては，その電力損失は電池容量の２３％〜３０％にも達する。
【００２５】
次に，装置で使用する電圧よりも低い電圧を二次電池で供給するようなタイプでの，内蔵充電器の構成について説明する。その構成例を，図１２に示す。
【００２６】
図１２において，６００はＤＣ−ＤＣコンバータ，６０１はＤＣ−ＤＣ制御部，６１０は充電を制御する充電制御部，６２０はＡＣアダプター等が接続されるＤＣコネクター，６３０は充電器を構成する充電用定電流回路，６３１は定電流制御部，６４０は二次電池，Ｔｒ６１，Ｔｒ６２はトランジスタ，Ｄ６１〜Ｄ６５はダイオード，Ｆ６１，Ｆ６２はヒューズ，Ｌ６１／Ｌ６２はトランス，Ｌ６３はチョークコイル，Ｃ６１，Ｃ６２はコンデンサ，Ｒ６１〜Ｒ６３は抵抗を表す。
【００２７】
ＤＣコネクター６２０は，装置をＡＣアダプター等の外部電源により運転するとき，あるいは装置内蔵の二次電池６４０に充電を行うために，外部から電源を供給するためのコネクターである。ＤＣ−ＤＣコンバータ６００は，ＤＣコネクター６２０経由で供給される外部電源，または内蔵二次電池６４０から電力の供給を受けて，装置が必要とする電圧を作成するための装置用の電源である。
【００２８】
充電用定電流回路６３０は，ＤＣコネクター６２０経由で外部より電力が供給されており，且つ充電制御部６１０により，二次電池６４０への充電が指示されているとき，二次電池６４０を充電するのに必要な電力を作成するための定電流電源である。
【００２９】
充電制御部６１０は，二次電池６４０に対して充電を行うための制御部である。充電用定電流回路６３０に対して充電の開始，停止，終了等の指示も充電制御部６１０が行う。
【００３０】
ダイオードＤ６１は，ＤＣコネクター６２０にＡＣアダプター等が接続されているが，ＡＣアダプターにＡＣ電源が供給されていない等の理由によりＡＣアダプターが非動作状態にあるとき，内蔵二次電池６４０から電力が外部に流出するのを防止するための逆流阻止用保護ダイオードである。
【００３１】
ダイオードＤ６２は，外部より電力が供給されていないとき，ＤＣ−ＤＣコンバータ６００に二次電池６４０からの電力を供給すると共に，ＤＣコネクター６２０経由で外部より電力が供給されているとき，その電圧が二次電池６４０に印加されるのを防止するための保護ダイオードである。
【００３２】
ダイオードＤ６５は，二次電池６４０から充電用定電流回路６３０への逆流を防止するためのダイオードである。
【００３３】
充電用定電流回路６３０の構成は，スイッチング方式のレギュレーター等の一般的なものであるためここでの詳細な説明は省略する。なお，充電用定電流回路６３０の構成は，図１１に示す回路５３０と同方式でもよい。
【００３４】
ＤＣ−ＤＣコンバータ６００は，二次電池６４０の電圧を装置が必要とする電圧まで昇圧するための，昇圧型のスイッチング方式のレギュレーターである。
【００３５】
ＤＣコネクター６２０にＡＣアダプター等が接続され外部より電力が供給されているとき，ＤＣ−ＤＣコンバータ６００にはダイオードＤ６１を介して外部電力が印加され，ＤＣ−ＤＣコンバータ６００は装置が必要とする電圧を作成する。このとき，外部電源から供給される電力は，ダイオードＤ６２に阻止され二次電池６４０に印加されることはない。
【００３６】
外部より電力が供給されているとき，二次電池６４０に対して電力が供給され充電が行われるのは，充電制御部６１０の指示により充電用定電流回路６３０が動作し，充電用の電力を作成しているときだけである。充電用定電流回路６３０が停止しているときには，トランジスタＴｒ６１により回路が遮断されるため二次電池６４０への電力供給は行われない。
【００３７】
外部からの電力供給が途絶えたとき，ＤＣ−ＤＣコンバータ６００への電力供給は，二次電池６４０よりダイオードＤ６２を介して供給される。一方，ダイオードＤ６１により二次電池６４０からの出力がＤＣ−ＤＣコンバータ６００以外への電力流出を防止する。
【００３８】
二次電池６４０への充電を行うときは，二次電池６４０を充電するのに必要な電圧が充電用定電流回路６３０を介して，二次電池６４０の正極側に印加されるが，この電圧はそのままダイオードＤ６２を介してＤＣ−ＤＣコンバータ６００にも印加される。Ｎｉｃａｄ等の一般的な二次電池６４０を充電するのに必要な電圧は，二次電池６４０の放電電圧の１．７倍程度であるため，電池本数等の装置構成によっては，ＤＣ−ＤＣコンバータ６００への印加電圧がＤＣ−ＤＣコンバータ６００の出力電圧を越える条件が発生する場合があり得る。このような場合には，図１２に示すようなチョークコイル方式の昇圧型のＤＣ−ＤＣコンバータ６００では，入力電圧がＤＣ−ＤＣコンバータ６００のチョークコイルＬ６３と整流ダイオードＤ６４を介してそのまま負荷に印加されるため，充電器を内蔵した装置では使用することができない。
【００３９】
このような場合には，図１３に示すようなトランス結合方式の昇降圧型のＤＣ−ＤＣコンバータ７００を使用しなければならない。
【００４０】
図１３において，７００はＤＣ−ＤＣコンバータ，７０１はＤＣ−ＤＣ制御部，７１０は充電を制御する充電制御部，７２０はＡＣアダプター等が接続されるＤＣコネクター，７３０は充電器を構成する充電用定電流回路，７３１は定電流制御部，７４０は二次電池，Ｔｒ７１，Ｔｒ７２はトランジスタ，Ｄ７１〜Ｄ７５はダイオード，Ｆ７１，Ｆ７２はヒューズ，Ｌ７１／Ｌ７２，Ｌ７３／Ｌ７４はトランス，Ｃ７１，Ｃ７２はコンデンサ，Ｒ７１〜Ｒ７３は抵抗を表す。
【００４１】
この図１３に示す方式は，図１２のものに比べてＤＣ−ＤＣコンバータ７００内がトランス結合方式の昇降圧型で構成される他は，構成・動作が同じであるので，説明の繰り返しを省略する。なお，充電用定電流回路７３０の構成は，図１１に示す回路５３０と同方式でもよい。
【００４２】
図１２に示すようなチョークコイル方式の昇圧型のＤＣ−ＤＣコンバータ６００では８０％程度の効率を実現することが可能であるが，図１３に示すようなトランス結合方式の昇降圧型ではその効率は６０％程度が限界である。
【００４３】
以上述べたように，装置で使用する電圧よりも低い電圧を二次電池で供給するようなタイプでの図１２に示すような従来方式による充電器の構成方式では，次の二つの問題点があった。
【００４４】
一つは，二次電池への充電用パスと二次電池から放電用パスを分離して二次電池への充電保護を行うためのダイオードＤ６２が必要である。しかし，二次電池からＤＣ−ＤＣコンバータ６００に電力を供給する場合，ダイオードＤ６２による電圧の降下による電力損失があり電池使用効率低下の原因となる。
【００４５】
ダイオードＤ６２による電圧降下は０．５５Ｖ〜０．７Ｖにも達し，例えばＮｉｃａｄ電池２本で運用するような装置では，その電力損失は，電池容量の２３％〜３０％にも達する。
【００４６】
もう一つの問題点は，電池を充電するのに必要な電圧が充電回路を介して，電池の正極側に印加されるが，この電圧がそのままダイオードＤ６２を介してＤＣ−ＤＣコンバータ６００にも印加されることである。
【００４７】
Ｎｉｃａｄ等の一般的な二次電池を充電するのに必要な電圧は，電池の放電電圧の１．７倍程度であるため，電池本数等の装置構成によっては，ＤＣ−ＤＣコンバータへの印加電圧がＤＣ−ＤＣコンバータの出力電圧を越える条件が発生する場合があり得る。このような場合には，ＤＣ−ＤＣコンバータの構成をチョークコイル方式の昇圧型ではなく，トランス結合方式の昇降圧型で構成する必要があり，チョークコイル方式の昇圧型のＤＣ−ＤＣコンバータ６００では８０％程度の効率であったものが，トランス結合方式の昇圧型のＤＣ−ＤＣコンバータ７００ではその効率が６０％程度に低下する。
【００４８】
次に，電池の過放電を防止するための従来方式について説明する。
【００４９】
ノートパソコン等の携帯型電子機器で用いられる電池のうち，Ｌｉ＋（リチウム・イオン）二次電池や，ＮｉＭＨ電池は，Ｎｉｃａｄ電池と異なり過放電に弱く，使用者が誤って過放電させた場合に回復不能なダメージを受ける。そのため，使用者の誤操作による電池機能の劣化を防止するために，電池の電圧が指定電圧以下になったことを検出して出力を遮断する過放電防止回路を電池に内蔵するようになっている。
【００５０】
また，電池運用での装置の稼動時間等の関係で複数個の電池を搭載可能とした機器においては，電池の放電順序を制御するために，電池の入力部に放電禁止／許可を制御するためのスイッチ回路を設けて電池の放電順序を制御しているのが一般的である。
【００５１】
このような構成の機器で上記過放電防止機能を内蔵した電池を使用した場合，スイッチ回路が二重となるためスイッチ回路による電力損失が大きな問題となる。
【００５２】
図１４は，従来方式での電池過放電防止方式の例を示す図である。
【００５３】
図１４において，８００（８００’も同様）は電池パック，８１０は二次電池，８２０は電池パック８００内の過放電を防止する制御部，８７０は電力を消費する電子機器の装置，８８１は装置内の放電禁止／許可の制御部，Ｒ８０〜Ｒ８９は抵抗，ＦＥＴ８１〜ＦＥＴ８５はスイッチ回路を構成する電界効果トランジスタ，Ｄ８１〜Ｄ８３はダイオードを表す。
【００５４】
図１４に示す装置８７０は，二つの電池パック８００，８００’とＡＣアダプター等の外部からの給電（ＤＣ−ＩＮ）のいずれかより電力の供給を受けて動作する。ここに電池パック８００と電池パック８００’とは同一構造となっている。
【００５５】
ダイオードＤ８１は，装置８７０の電力が電池パック８００または電池パック８００’により供給されるとき，電池からの電力がＤＣ−ＩＮ側へ逆流するのを防止するためのダイオードである。ダイオードＤ８２／Ｄ８３は，装置８７０の電力がＤＣ−ＩＮから供給されているとき，ＤＣ−ＩＮからの電力が電池パック８００または電池パック８００’へ逆流するのを防止するためのダイオードである。特に，トランジスタＦＥＴ８４／ＦＥＴ８５には，ソース〜ドレイン間に寄生ダイオードが付いているため，これらの逆流防止用ダイオードＤ８２／Ｄ８３が必要になっている。
【００５６】
トランジスタＦＥＴ８４は，電池パック８００からの電力供給の禁止許可を制御するためのスイッチ回路であり，制御部８８１からの信号によりｏｎ／ｏｆｆの制御が行われる。制御部８８１からの信号によりトランジスタＦＥＴ８４がｏｎ状態にあるとき電池パック８００からの放電が許可される。トランジスタＦＥＴ８５は，電池パック８００’からの電力供給の禁止許可を制御するためのスイッチ回路であり，トランジスタＦＥＴ８４同様，制御部８８１からの信号によりｏｎ／ｏｆｆの制御が行われる。制御部８８１からの信号によりトランジスタＦＥＴ８５がｏｎ状態にあるとき電池パック８００’からの放電が許可される。
【００５７】
抵抗Ｒ８４／Ｒ８５は，ＤＣ−ＩＮより電力供給があるかないかを識別するための電圧検出用の抵抗である。抵抗Ｒ８６／Ｒ８７は，電池パック８００から電力供給が可能かどうかを識別するための電圧検出用の抵抗である。抵抗Ｒ８８／Ｒ８９は，電池パック８００’から電力供給が可能かどうかを識別するための電圧検出用の抵抗である。
【００５８】
今，装置８７０への電力供給の順序を，▲１▼ＤＣ−ＩＮ，▲２▼電池パック８００，▲３▼電池パック８００’の順で順序付けをしてあると仮定する。抵抗Ｒ８４／Ｒ８５によりＤＣ−ＩＮより電力供給があることが検出された場合，制御部８８１は電池パック８００および電池パック８００’からの電力供給を禁止するために，トランジスタＦＥＴ８４／ＦＥＴ８５をｏｆｆ状態に保ち，電池パック８００および電池パック８００’の消耗を回避するように動作する。
【００５９】
次に抵抗Ｒ８４／Ｒ８５によりＤＣ−ＩＮからの電力供給が途絶えたことが検出されると，制御部８８１はトランジスタＦＥＴ８４をｏｎにして，電池パック８００からの電力供給を行う。このとき電池パック８００’からの放電が行われないように，トランジスタＦＥＴ８５はｏｆｆ状態に保たれる（このとき，トランジスタＦＥＴ８５がｏｎ状態であると，電池パック８００と電池パック８００’の両方から同時に装置に給電が行われる）。
【００６０】
次に，抵抗Ｒ８６／Ｒ８７により電池パック８００の放電が終了し，二次電池８１０が空になったことが検出されると，制御部８８１はトランジスタＦＥＴ８５をｏｎにして，電池パック８００’からの電力供給を行うと同時に，トランジスタＦＥＴ８４をｏｆｆにし，電池パック８００の過放電を防止する（なお，電池パック８００’に過放電防止回路が組み込まれている場合には，本動作は意味をなさない）。
【００６１】
図１５は，図１４に示す電池パック８００内の過放電防止回路の詳細を示したものである。図１５におけるＲ８０／Ｒ８１／Ｒ８２／Ｒ８３／ＦＥＴ８１／ＦＥＴ８２は，図１４に示す同一名の記号を付与したものに対応し，ＩＣ８１〜ＩＣ８４は比較器，ｅ８１，ｅ８２は基準電圧を表す。
【００６２】
トランジスタＦＥＴ８１は，二次電池８１０が過放電状態（電池電圧が規定値以下のとき）や負荷短絡により電池から過大電流が流れた場合に回路を遮断するためのスイッチ回路であり，比較器ＩＣ８１／ＩＣ８２によりｏｎ／ｏｆｆされる。トランジスタＦＥＴ８２は，二次電池８１０への充電電圧が規定値以上になった場合，電池を保護するために回路を遮断するためのスイッチ回路であり，比較器ＩＣ８３によりｏｎ／ｏｆｆされる。
【００６３】
比較器ＩＣ８１は，抵抗Ｒ８０／Ｒ８１により電池の電圧を検出して基準電圧ｅ８２と比較するための比較器であり，二次電池８１０の放電により電池電圧が基準電圧ｅ８２より低下した場合，Ｌｏｗレベルを出力して，比較器ＩＣ８４を経由してトランジスタＦＥＴ８１をｏｆｆするための過放電防止回路を構成する。
【００６４】
過放電防止回路の説明を簡略化するために，ＩＣ８１を比較器として説明したが，実際の回路構成においては電池の内部抵抗Ｒｉによる電池電圧の変動による比較器ＩＣ８１の出力の変動を防止するために，比較器ＩＣ８１がＬｏｗレベルを出力したことを記憶するためのフリップフロップ（ＦＦ）回路や，充電等により電池の電圧が復旧したときにフリップフロップの記憶内容をリセットするための解除手段を有していることは言うまでもない。
【００６５】
比較器ＩＣ８２は，負荷短絡により電池から過大電流が流れた場合に回路を遮断して短絡保護を行う過電流検出用の比較回路である。スイッチ回路を構成するトランジスタＦＥＴ８１／ＦＥＴ８２による電圧降下を測定して過電流の測定を行う。負荷短絡により過大電流が流れると，トランジスタＦＥＴ８１／ＦＥＴ８２のｏｎ抵抗により電池パック８００のマイナス端子側の電位が電流値に比例して上昇し，ｅ８１の電位も上昇するため，規定値以上の電流が流れるとｅ８１とｅ８２の電位を比較している比較器ＩＣ８２がＬｏｗレベルを出力し，比較器ＩＣ８４を経由してトランジスタＦＥＴ８１をｏｆｆする。
【００６６】
過電流防止回路の説明を簡略化するためにＩＣ８２を比較器として説明したが，実際の回路構成においてはトランジスタＦＥＴ８１をｏｆｆさせたことにより比較器ＩＣ８２の出力が即Ｈｉｇｈレベルに復帰することによる比較器ＩＣ８２の出力の変動を防止するために，比較器ＩＣ８２がＬｏｗレベルを出力したことを記憶するためのフリップフロップ（ＦＦ）回路や，短絡状態が解除されたときにフリップフロップの記憶内容をリセットするための解除手段を有していることは言うまでもない。
【００６７】
比較器ＩＣ８４は３入力の比較器であり，比較器ＩＣ８１／ＩＣ８２からの入力の両方が基準電圧ｅ８２より高いときＨｉｇｈレベルを出力して，トランジスタＦＥＴ８１をｏｎにする。従って，以上述べたように電池が過放電状態または短絡により過電流が流れた場合には，比較器ＩＣ８１／ＩＣ８２／ＩＣ８４によってトランジスタＦＥＴ８１がｏｆｆされることにより回路が遮断される。
【００６８】
比較器ＩＣ８３は，充電時に電池に定格以上の電圧が印加されるのを防止するための過電圧検出回路であり，抵抗Ｒ８２／Ｒ８３により充電電圧を測定して基準電圧ｅ８１と比較する。比較の結果，充電電圧が定格以上であると比較器ＩＣ８３はＬｏｗレベルを出力し，トランジスタＦＥＴ８２をｏｆｆさせ，充電する方向への電流の流れを遮断する。
【００６９】
充電電圧が定格以下のときには，比較器ＩＣ８３はＨｉｇｈレベルを出力し，トランジスタＦＥＴ８２をｏｎさせる。
【００７０】
二次電池８１０が過放電状態にあり，トランジスタＦＥＴ８１がｏｆｆ状態であっても電池のプラス端子に充電電圧が印加された場合，トランジスタＦＥＴ８１は寄生ダイオードにより電流の流れを阻止することはないため電池は充電される。また，二次電池８１０の充電によって電池の電位が上昇すると，抵抗Ｒ８０／Ｒ８１により検出される電位がｅ８２より大となり，比較器ＩＣ８１がＨｉｇｈレベルを出力する。このときトランジスタＦＥＴ８１／ＦＥＴ８２を流れる電流の向きは放電時とは逆であり，ｅ８１の電位がｅ８２の電位を上回ることはなく，比較器ＩＣ８２もＨｉｇｈレベルを出力する。その結果，比較器ＩＣ８４によりトランジスタＦＥＴ８１がｏｎとなる。
【００７１】
以上が，従来の電池パック内の過放電防止回路の動作である。
【００７２】
次に，電池パックを２個搭載しているときの従来の充電方式の例を説明する。電池パックは電池の出力電圧や電力の関係で，複数個の電池セルを直列に接続して構成されるが，直列に接続できるセル数は電池電圧と外部から供給される電源電圧との関係で上限が規定される。例えば，ＮｉｃａｄやＮｉＭＨ電池の単セル当たりの電圧は１．２Ｖであるが，充電時の電圧は約１．７Ｖである。一般的な装置での電源系の耐圧は１６．０Ｖであることを考慮すると，ＮｉｃａｄやＮｉＭＨ電池では９本の直列接続が上限となる。Ｌｉ＋（リチウム・イオン）電池の場合の単セル当たりの電圧は最大４．２Ｖであり，装置耐圧１６．０Ｖを考慮すると３本の直列接続が上限となる。
【００７３】
また，電池の単セル当たりの容量は，電池のサイズに基づいた基本容量で規定される。従って，電池の容量を増加させるには複数の電池セルを直列に接続したものを，並列に接続する以外に方法はない。
【００７４】
ところで，二次電池の充電を行う場合に注意することは，各電池に流す充電電流の最大値を制御することである。電池によって決まる規格以上の電流値で充電を行うと電池が発熱し，発熱時の保護回路無しで充電を行うと発火にいたることがあり非常に危険である。
【００７５】
直列接続の二次電池に充電を行う場合，充電電流値は全てのセルで同一であるため，充電器側で定電流制御を行うことにより，規格電流値内での充電を行うことができる。
【００７６】
しかし，並列接続された電池に充電を行うと，電池間のインピーダンスや電池間の充電量の違いにより電池間での電流値が異なる。極端な例では，並列に接続された電池の１個にのみ充電電流が流れ，他の電池には流れない場合もあり得る。このような状態が発生すると，１個の電池の充電電流値が並列接続した電池の本数倍となり非常に危険である。
【００７７】
従って，従来は並列に接続された二次電池に対する適切な充電方法がないため，電池を並列に接続する代わりに複数の電池パックに分割し，各々独立した電池パック構成とすることにより，個別に充電する方法が取られているのが一般的である。その結果，複数の電池パックを搭載する構成とした装置がある。
【００７８】
図１６は電池パックを２個搭載しているときの従来方式の例を示す。
【００７９】
図１６において，９００は充電器，９０１はＤＣコネクター，９０２はＤＣ−ＤＣコンバータ，９１０は定電流制御を行う制御部，９２０は充放電制御部，９３０，９４０は二次電池の電池パック（以下，電池Ａ，電池Ｂという），Ｔｒ９１，ＦＥＴ９１〜ＦＥＴ９４はトランジスタ，Ｄ９１〜Ｄ９５はダイオード，Ｆ９１，Ｆ９２はヒューズ，Ｌ９２はチョークコイル，Ｃ９１は平滑用コンデンサ，Ｒ９０〜Ｒ９４は抵抗を表す。
【００８０】
ＤＣコネクター９０１は，装置をＡＣアダプター等の外部電源により運転するとき，あるいは装置内蔵の二次電池に充電を行うために，外部から電源を供給するためのコネクターである。ＤＣ−ＤＣコンバータ９０２は，ＤＣコネクター９０１経由で供給される外部電源，または内蔵二次電池から電力の供給を受けて，装置が必要とする電圧を作成するための装置用の電源である。
【００８１】
充電器９００は，ＤＣコネクター９０１経由で外部より電力が供給されているとき二次電池を充電するのに必要な電力を作成するための定電流電源である。
【００８２】
ダイオードＤ９１およびＤ９５は，ＤＣコネクター９０１にＡＣアダプター等が接続されているが，ＡＣアダプターにＡＣ電源が供給されていない等の理由によりＡＣアダプターが非動作状態にあるとき，内蔵二次電池から電力が外部に流出するのを防止するための逆流阻止用保護ダイオードである。
【００８３】
ダイオードＤ９２／Ｄ９３は，外部より電力が供給されていないとき，ＤＣ−ＤＣコンバータ９０２に二次電池からの電力を供給すると共に，ＤＣコネクター９０１経由で外部より電力が供給されているとき，その電圧が二次電池に印加されるのを防止するための保護ダイオードである。
【００８４】
トランジスタＦＥＴ９３およびＦＥＴ９４は，ＤＣコネクター９０１経由でＡＣアダプター等からの電力が供給されていないとき，ＤＣ−ＤＣコンバータ９０２に二次電池から電力を供給するときに，電池Ａから供給するか電池Ｂから供給するかを制御するためのスイッチ回路である。電池Ａおよび電池Ｂの両方から常に同時に並列に放電する場合には，トランジスタＦＥＴ９３およびＦＥＴ９４は不要である。
【００８５】
トランジスタＦＥＴ９１およびＦＥＴ９２は，充電する電池を選択するためのスイッチ回路であり，充電器９００から供給される充電電流を，電池Ａに流すか，電池Ｂに流すのかを制御する。
【００８６】
充電器９００は，充電用の定電流回路であり，メイン・スイッチング・トランジスタＴｒ９１，チョークコイルＬ９２，フライホィール・ダイオードＤ９４，平滑用コンデンサーＣ９１，電流制御用のセンス抵抗Ｒ９０／Ｒ９１／Ｒ９２／Ｒ９３／Ｒ９４および制御部９１０で構成される。この充電用定電流回路の構成は，スイッチング方式のレギュレーター等の一般的なものであるため，ここでの詳細な説明は省略する。
【００８７】
ＤＣコネクター９０１にＡＣアダプター等が接続され外部より電力が供給されているとき，ＤＣ−ＤＣコンバータ９０２にはダイオードＤ９１を介して外部電力が印加され，ＤＣ−ＤＣコンバータ９０２は装置が必要とする電圧を作成する。このとき外部電源から供給される電力は，ダイオードＤ９２／Ｄ９３に阻止され二次電池の電池パック９３０／９４０に印加されることはない。
【００８８】
外部より電力が供給されているとき，二次電池に対して電力が供給され充電が行われるのは，充電が指示されており充電用定電流回路が動作し充電用の電力を作成しているときだけである。充電用定電流回路が停止しているときには，トランジスタＴｒ９１により回路が遮断されるため，電池への電力供給は行われない。
【００８９】
外部からの電力供給が途絶えたとき，ＤＣ−ＤＣコンバータ９０２への電力供給は二次電池の電池パック９３０，９４０よりトランジスタＦＥＴ９３／ＦＥＴ９４とダイオードＤ９２／Ｄ９３を介して供給される。トランジスタＦＥＴ９３のソース電極はダイオードＤ９２のアノード側に接続され，ドレイン電極は電池Ａの正極側に接続されている。トランジスタＦＥＴ９３のゲート電極は充放電制御部９２０からの制御信号に接続されている。同様にトランジスタＦＥＴ９４のソース電極はダイオードＤ９３のアノード側に接続され，ドレイン電極は電池Ｂの正極側に接続されている。トランジスタＦＥＴ９４のゲート電極は充放電制御部９２０からの制御信号に接続されている。
【００９０】
トランジスタＦＥＴ９３の内部寄生ダイオードはドレイン側からソース側に向かって順方向となり，トランジスタＦＥＴ９３は電池Ａからの電流の流れに対してスイッチ回路として動作するが，電池Ａに流れ込む電流に対しては常にｏｎ状態である。電池Ａへの逆流を防止する手段としてダイオードＤ９２が直列に接続されている。同様にトランジスタＦＥＴ９４の内部寄生ダイオードもドレイン側からソース側に向かって順方向となり，トランジスタＦＥＴ９４は電池Ｂからの電流の流れに対してスイッチ回路として動作するが，電池Ｂに流れ込む電流に対しては常にｏｎ状態である。そこで電池Ｂへの逆流を防止する手段として，ダイオードＤ９３が直列に接続されている。
【００９１】
充放電制御部９２０がＤＣ−ＩＮからの入力がなくなったことを検出すると，電池からの放電を促すために，トランジスタＦＥＴ９３またはＦＥＴ９４をｏｎにする。電池Ａからの放電を指示するとき充放電制御部９２０は，トランジスタＦＥＴ９３のゲート電極をグランド電位にすることにより，トランジスタＦＥＴ９３をｏｎとする。電池Ｂからの放電を指示するときには，充放電制御部９２０は，トランジスタＦＥＴ９４のゲート電極をグランド電位にすることにより，トランジスタＦＥＴ９４をｏｎとする。
【００９２】
一方，ダイオードＤ９１およびＤ９５により電池Ａ，Ｂからの出力がＤＣ−ＤＣコンバータ９０２以外へ電力流出することを防止する。
【００９３】
ＡＣアダプターにより外部電力が供給され充電器９００の充電用定電流回路が動作しているとき，充電器９００で作成された電力は，スイッチ用トランジスタＦＥＴ９１またはＦＥＴ９２を経て電池Ａまたは電池Ｂを充電する。電池Ａを充電するときには，トランジスタＦＥＴ９１をｏｎとして電池Ａへの電流パスを閉じる。このときトランジスタＦＥＴ９２はｏｆｆ状態であるため定電流回路からの電流は全て電池Ａを充電するのに使用される。
【００９４】
電池Ｂを充電するときには，トランジスタＦＥＴ９２をｏｎとして電池Ｂへの電流パスを閉じる。このときトランジスタＦＥＴ９１はｏｆｆ状態であるため定電流回路からの電流は全て電池Ｂを充電するのに使用される。
【００９５】
図１７に，図１６に示す制御部９１０および充放電制御部９２０による制御フローチャートを示す。充電の場合，図１７（Ａ）に示すように制御する。
【００９６】
ＤＣ−ＩＮに外部から電力が供給されたことを確認（Ｓ２１）したならば，以下の処理を行う。まず，充放電制御部９２０は，トランジスタＦＥＴ９３，ＦＥＴ９４をｏｆｆにする（Ｓ２２）。トランジスタＦＥＴ９１をｏｎにし，トランジスタＦＥＴ９２をｏｆｆにする（Ｓ２３）。また，制御部９１０はトランジスタＴｒ９１をｏｎにし，電池Ａに充電する（Ｓ２４）。ステップＳ２５において，電池Ａがフルになり，充電が終了したことを検出したならば，ステップＳ２６へ進む。ステップＳ２６では，一旦トランジスタＴｒ９１をｏｆｆにする。その後，トランジスタＦＥＴ９１をｏｆｆに，トランジスタＦＥＴ９２をｏｎに切り換える（Ｓ２７）。そして，トランジスタＴｒ９１をｏｎにし，電池Ｂに充電する（Ｓ２８）。ステップＳ２９において，電池Ｂがフルになり，充電が終了したことを検出したならば，トランジスタＴｒ９１をｏｆｆにする（Ｓ３０）。
【００９７】
また，放電時の制御は，図１７（Ｂ）に示すように行われる。
【００９８】
ステップＳ４１において，まずトランジスタＦＥＴ９３をｏｎにし，トランジスタＦＥＴ９４をｏｆｆにして，電池Ａから放電する。ステップＳ４２により，電池Ａの電位が下がり，電池Ａが空になったことを検出したならば，ステップＳ４３において，トランジスタＦＥＴ９３をｏｆｆにし，トランジスタＦＥＴ９４をｏｎにして，電池Ｂからの放電へ移る。ステップＳ４４により，電池Ｂも空になったことを検出したならば，ステップＳ４５による装置のロー・バッテリー処理を起動する。
【００９９】
従来，図１６に示すような複数の電池パックを搭載した電子機器においては，スイッチ回路により充電対象の電池パックを選択して充電を行い，充電対象となる電池パックの充電が完了した後に，次の電池パックを選択して充電を行うといったシリアルな充電が一般的であった。
【０１００】
このように，複数の電池パックに対して１個の充電回路で順次充電を行った場合，充電済み電池と未充電電池を並列に接続できないため，各電池からの放電を制御するためのスイッチ用トランジスタＦＥＴ９３／ＦＥＴ９４と，充電済み電池から未充電電池への電池間での充放電を防止するための逆流防止用ダイオードＤ９２／Ｄ９３が必要である。
【０１０１】
その結果，電池放電時にスイッチ用トランジスタＦＥＴ９３／ＦＥＴ９４による抵抗損失と，逆流防止ダイオードＤ９２／Ｄ９３での電圧降下による電力損失が発生し，電池の効率的運用ができない問題があった。
【０１０２】
逆流防止ダイオードＤ９２／Ｄ９３の代わりに電界効果トランジスタ（ＦＥＴ）を使用することにより電力損失を低減する方法もある。ＦＥＴの内部寄生ダイオード同志が逆接続となるようにスイッチ用ＦＥＴとダイオード用ＦＥＴとを直列に接続する方法であるが，ＦＥＴ２個分の抵抗損失が発生する。
【０１０３】
コスト面でも，ダイオードに比してＦＥＴのコストは２倍以上高くなるというデメリットがある。
【０１０４】
また，複数の電池パックは順次に充電を行うため全ての電池の充電が完了した時以外は，電池の並列放電ができないため，電池が複数個存在しても常に交互放電となり，瞬間的に放電できる電流値に限界があった。
【０１０５】
図１８に，上記問題点解決のために，電池の数と同じだけ充電器を用意した方式を示す。図１８において，９５０（９５０’も同様）は充電器，９５１はＤＣコネクター，９５２はＤＣ−ＤＣコンバータ，９６０は定電流制御を行う制御部，９７０，９８０は二次電池の電池パック（以下，電池Ａ，電池Ｂという），Ｔｒ９２はトランジスタ，Ｄ９０，Ｄ９６〜Ｄ９９はダイオード，Ｆ９３，Ｆ９４はヒューズ，Ｌ９３はチョークコイル，Ｃ９２は平滑用コンデンサ，Ｒ９５〜Ｒ９９は抵抗を表す。
【０１０６】
充電器９５０は電池Ａを充電するためのものであり，充電器９５０’は電池Ｂを充電するためのものである。このように，充電器を複数個用意することにより充電時間の短縮を図ることは可能である。しかし，電池Ａへの充電電流が電池Ｂ側へ漏洩するのを防止するためには，逆流阻止用のダイオードＤ９８が必要である。同様に電池Ｂへの充電電流が電池Ａ側へ漏洩するのを防止するためには，逆流阻止用のダイオードＤ９７が必要である。
【０１０７】
その結果，電池放電時に逆流防止ダイオードＤ９７／Ｄ９８による電圧降下が発生し，ダイオード・ドロップによる電力損失となり電池の効率的運用ができない。また，充電器を増やすことによる物量の増大という欠点がある。
【０１０８】
【発明が解決しようとする課題】
以上のように従来の充放電制御装置では，次のような問題点があった。
【０１０９】
(1) 充電時の電池への電流の流れのパスと電池からの放電時の電流の流れのパスを分離するためのダイオード挿入により電力の無駄（ダイオードによる電圧ドロップ）が発生する。
【０１１０】
例えば，Ｎｉｃａｄ電池２本で動作するような装置を考えた場合，その損失は電池電力の２０〜２５％程度に達する。
【０１１１】
(2) チョークコイル方式の昇圧型ＤＣ−ＤＣコンバータを採用した装置では，従来方式での充電回路が採用できないため，ＤＣ−ＤＣコンバータの構成を，図１３に示すようなトランス結合方式の昇降圧型ＤＣ−ＤＣコンバータに変更する必要がある。しかし，チョークコイル方式の昇圧型のＤＣ−ＤＣコンバータでは８０％程度の効率を実現することが可能であるが，トランス結合方式の昇降圧型ＤＣ−ＤＣコンバータではその効率は６０％程度が限界であり電池の有効利用を計ることができない。
【０１１２】
(3) 複数の電池パックを搭載するような電子機器においては，個々の電池が同時に放電を行わないように制御するために，個々の電池からの出力系統に放電回路のｏｎ／ｏｆｆ制御を行うためのスイッチ回路を設ける必要がある。しかし，過放電による電池の劣化防止を目的として過放電防止回路を設けた電池パックを使用した場合，パック内にある過放電防止スイッチ回路と装置の放電制御用スイッチとが直列接続となるため，スイッチ回路による電力損失が倍になる。
【０１１３】
(4) 複数の電池に対して充電を行うために，充電時の電池への電流の流れを切り替えるスイッチ回路および逆流防止用のダイオードを挿入することにより，電池からの放電時このスイッチ回路での電圧降下による電力の無駄（スイッチ回路およびダイオードでの電圧ドロップ）が発生する。
【０１１４】
例えば，Ｎｉｃａｄ電池２本で動作するような装置を考えた場合，その損失は電池電力の２０〜２５％程度に達する。
【０１１５】
逆流防止ダイオードの代わりにＦＥＴを使用することにより電力損失を低減する方法もあるが，スイッチ回路ＦＥＴとダイオード用ＦＥＴとを直列に接続する必要があり，ＦＥＴ２個分のロスが発生する。また，ダイオードに比してＦＥＴのコストは２倍程度高くなるというコスト面でのデメリットがある。
【０１１６】
(5) １個の充電器で複数の電池に対して順次充電を行うために，充電時間が電池の数だけ増大する。
【０１１７】
(6) 充電時間を縮めるために並行充電を行うためには，電池の数だけ充電器を必要とする。
【０１１８】
(7) 複数の電池からの放電は順次放電となるため放電可能な最大電流値が制限される。放電電流値を増大させるには電池の並列放電が必要であるが，電池の充電がシリアルに行われるため，並列放電ができない。
【０１１９】
本発明は，装置の稼動時間を高めることを目的として複数個の電池パックを搭載可能とした装置において，上記問題点のうち，特に従来技術では複数の電池に対して充電を行うために，充電時の電池への電流の流れを切り替えるスイッチ回路および逆流防止用のダイオードを挿入することにより，電池からの放電時このスイッチ回路での電圧降下による電力の無駄が発生するという問題点の解決を図った充電制御方式を提供することを目的とする。
【０１２０】
【課題を解決するための手段】
図１および図２は，本発明およびそれに関連する発明のブロック図である。
【０１２１】
図１（Ａ）は，本発明に係る充放電制御装置を示す。図１（Ａ）において，１００はＤＣ−ＤＣコンバータを持つ携帯型電子機器等の電力消費装置，１１０は充電制御部，１２０は充電器，１３０は定電流制御部，１４０は充電可能な二次電池，１５０はスイッチ回路を表す。
【０１２２】
図１（Ａ）に示す装置の場合，装置のグランド側と二次電池１４０の負極側とを切り離すための電気的なスイッチ回路１５０を設け，外部電源から電力が供給されているか否かを電位検出によって検出して，このスイッチ回路１５０を充電制御部１１０により切り換えることにより，充電時には装置のグランド側と二次電池１４０の負極側とを切り離し，充電器１２０と二次電池１４０との閉ループを構成して充電を行うようにしている。
【０１２３】
こうすることにより，ＤＣ−ＩＮ入力から二次電池１４０への逆流防止用のダイオードを不要とし，二次電池１４０からの放電時のダイオードによる電力損失をなくしている。
【０１２４】
図１（Ｂ）は，本発明に関連する他の発明の構成を示すブロック図である。図１（Ｂ）において，２００は電池パック，２１０は充電可能な二次電池，２２０は電池パックからの放電を制御する制御部，２３０は過放電防止用スイッチ回路，２４０は電池パックのプラス端子，２５０は電池パックのマイナス端子，２６０は放電制御用端子，２７０はＤＣ−ＤＣコンバータを持つ携帯型電子機器等の装置，２８０は放電禁止／許可制御部を表す。
【０１２５】
二次電池２１０の過放電を防止するための過放電防止用スイッチ回路２３０を内蔵した電池パック２００において，過放電防止用スイッチ回路２３０のｏｎ／ｏｆｆを制御するための信号を外部の装置２７０から入力可能としている。そのため，電池パック２００にプラス端子２４０，マイナス端子２５０の他に放電制御用端子２６０を設けている。装置２７０の放電禁止／許可制御部２８０により，放電制御用端子２６０に放電禁止の制御信号を付加すると，制御部２２０は強制的に過放電防止用スイッチ回路２３０をｏｆｆさせる。こうして過放電防止用スイッチ回路２３０を装置２７０側からの放電禁止／許可制御にも使用する。
【０１２６】
図２（Ａ）は，本発明に関連する他の発明の充放電制御装置および定電圧定電流制御回路を示す。図２（Ａ）において，３００は充電器（定電圧定電流回路），３１０は充電の制御回路（定電圧定電流制御回路），３２０，３３０は電流測定用誤差増幅器，３４０は電圧制御用誤差増幅器，３５０は比較回路，３６０，３７０は二次電池を表す。
【０１２７】
二次電池３６０，３７０の充電を目的とした充電器３００の制御回路３１０は，電圧制御用誤差増幅器３４０の電圧検出入力に対して複数の電圧を入力できるようにしている。また，電流測定用誤差増幅器３２０，３３０が，それぞれ二次電池３６０，３７０に対応して設けられている。
【０１２８】
充電器３００として，このような定電圧定電流回路を用いることにより，１個の定電流回路から複数の二次電池３６０／３７０に対して，同時に並列充電を行うことを可能としている。また，この定電圧定電流回路を用いて複数の二次電池３６０／３７０の並列充電を行うことにより，定電圧定電流回路と複数の二次電池３６０／３７０間の電流経路を制御するためのスイッチ回路を不要としている。さらに，定電圧定電流回路と複数の二次電池３６０／３７０間の電流経路を制御するためのスイッチ回路を不要としたことにより，電池からの放電時のスイッチ回路による電力損失をなくしている。
【０１２９】
図２（Ｂ）は本発明に関連する他の発明の充放電制御装置を示す。図２（Ｂ）において，４００は充電器，４１０，４２０は二次電池，４３０，４４０は充電を切り換えるためのスイッチ回路，４５０は充電制御部，４６０は切換制御手段を表す。
【０１３０】
充電可能な複数の二次電池４１０，４２０と二次電池に対して充電を行うための充電器４００を内蔵した電子機器において，充電器４００と各二次電池４１０／４２０との間をｏｎ／ｏｆｆするためのスイッチ回路４３０／４４０を設けている。充電制御部４５０はこれらのスイッチ回路４３０／４４０の切換制御手段４６０を有し，切換制御手段４６０は，スイッチ回路４３０／４４０が同時にｏｎにならないように，任意の時間において１個の二次電池４１０／４２０とのみ充電器４００が接続されるように，一定の時間で自動的に切り換える。このようにスイッチ回路４３０／４４０を時分割で切り換えることにより，複数の二次電池４１０／４２０に対して時分割多重で充電を行うと共に，複数の電池に対する充電電流を個々に管理し，複数の二次電池４１０／４２０の充電を同時に行うようにしている。
【０１３１】
図１（Ａ）に示す本発明は，以下のような作用効果がある。
【０１３２】
(1) 充電時に二次電池１４０の負極と装置グランドとを電気的に遮断して充電器１２０と二次電池１４０だけの閉回路を構成して充電を行うため，充電時の電池電位と装置の電位とは独立となる。
【０１３３】
(2) 上記方式とすることにより，二次電池１４０の正極側の放電電流パス用の逆流阻止ダイオードが不要となり，放電時のダイオード・ドロップによる電力損失が零となるため電池の利用効率が上がる。
【０１３４】
(3) また，装置用ＤＣ−ＤＣコンバータへの入力電圧（対グランド電圧）は二次電池１４０へ充電中であっても，ＤＣ−ＩＮ電圧と同一であるため，電流消費装置１００のＤＣ−ＤＣコンバータの方式に依存せずに充電が可能となる。
【０１３５】
図１（Ｂ）に示す関連発明は，以下のような作用効果がある。
【０１３６】
(1) 電池パック２００内に設けた過放電防止用スイッチ回路２３０を，装置２７０側の制御による電池パック切換用スイッチ回路と兼用することが可能となるため，装置２７０内にスイッチ回路が不要となる。
【０１３７】
(2) 装置２７０内のスイッチ回路が不要となることにより，スイッチ抵抗による電力損失が零となり，電池の効率的運用が可能となる。すなわち，電池パック２００内での損失を除く電子機器内部でのスイッチ回路による損失を削減することができる。
【０１３８】
図２（Ａ）に示す関連発明は，以下のような作用効果がある。
【０１３９】
(1) １個の充電器３００で，複数の二次電池３６０，３７０に対して並列に充電が可能となる。
【０１４０】
(2) 複数の二次電池３６０，３７０に対して並列に充電を行うため，充電時の電池への電流の流れを切り替えるスイッチ回路および逆流防止用のダイオードが不要となり，電池利用効率の向上を計ることが可能となる。
【０１４１】
(3) 複数個の二次電池３６０，３７０に対して並列に充電を行うため，充電に要する時間は電池１個の場合と変わらない。
【０１４２】
(4) 複数の二次電池３６０，３７０への並列充電を制御する制御回路３１０を集積回路化することができるので，装置の小型化を容易に実現できる。
【０１４３】
図２（Ｂ）に示す関連発明は，以下のような作用効果がある。
【０１４４】
(1) １個の充電器４００で，複数の二次電池４１０，４２０に対して並列に充電が可能となる。複数の電池に対して時分割多重で交互に切り換えながら充電を行うため，結果的に並列に充電を行うこととなり，複数の電池からの並列放電が可能となる。
【０１４５】
(2) 複数の二次電池４１０，４２０に対して並列に充電が行われるため，電池の並列放電が可能となり，放電可能電流値を大きくすることができる。
【０１４６】
(3) 放電時の電池切換用スイッチ回路が不要となり，このスイッチ回路による電力損失が削減できる。（ただし，ＤＣ−ＩＮからの逆流阻止用のスイッチ回路は必要であるため，従来方式に比して１／２の電力損失となる。）
【０１４７】
【発明の実施の形態】
以下，本発明の実施の形態を図を用いて説明する。
【０１４８】
図３は，図１（Ａ）に示す本発明に対応する実施の形態を示す図である。図３において，１０１はＤＣ−ＤＣコンバータ，１０２はＤＣコネクター，１０３はフォト・カプラー，１１０は充電制御部，１２０は充電器（充電用定電流回路），１３０は定電流制御部，１４０は二次電池，１５０はスイッチ回路，１６０はＤＣコネクターのグランド側接点回路，ＦＥＴ１１〜ＦＥＴ１３はトランジスタ，Ｄ１１，Ｄ１３はダイオード，Ｆ１１，Ｆ１２はヒューズ，Ｌ１１／Ｌ１２はトランス，Ｒ１１は抵抗，Ｃ１１はコンデンサ，ＩＣ１１は誤差増幅器を表す。
【０１４９】
ＤＣコネクター１０２，ＤＣ−ＤＣコンバータ１０１，充電器（充電用定電流回路）１２０，充電制御部１１０，ダイオードＤ１１は，それぞれ図１２に示す従来方式におけるＤＣコネクター６２０，ＤＣ−ＤＣコンバータ６００，充電用定電流回路６３０，充電制御部６１０，ダイオードＤ６１等の回路と同じ働きをするものである。
【０１５０】
ＤＣコネクター１０２のグランド側接点回路１６０およびトランジスタＦＥＴ１２／ＦＥＴ１３は，装置のグランド側と電池の負極側の接続切り離しを行うために新たに設けた電気的なスイッチ回路である。ＤＣコネクター１０２のグランド側接点回路１６０は，ＤＣコネクター１０２にＡＣアダプター等が接続された場合に，装置グランドと電池の負極側を切り離すためのメカニカル接点回路である。
【０１５１】
上記のＤＣコネクター１０２のグランド側接点回路１６０は，ＤＣコネクター１０２に何も接続されないときには，このメカニカル接点はグランド側と接続され，装置のグランドと電池の負極側を接続するために用いられる。
【０１５２】
トランジスタＦＥＴ１２／ＦＥＴ１３は，ＤＣコネクター１０２の電位を検出することによりＤＣコネクター１０２経由で外部から電力が供給されているときは回路を遮断し，電力が供給されていないときに回路を閉じることにより，装置グランドと電池の負極側をｏｎ／ｏｆｆするスイッチ回路１５０を構成する。スイッチ回路１５０は，ＤＣコネクター１０２にＡＣアダプター等が接続されているが，ＡＣアダプターにＡＣ電源が供給されていない等の理由によりＡＣアダプターが非動作状態にあるとき，二次電池１４０の負極側がＤＣコネクター１０２の接点を介して装置のグランドに接続されない状態が発生した場合に，二次電池１４０の負極側と装置のグランドを接続するための回路である。
【０１５３】
トランジスタＦＥＴ１１は，充電用定電流回路のメイン・スイッチング・トランジスタであり，トランスＬ１１／Ｌ１２は電圧変換用のトランスである。ダイオードＤ１３は整流用のダイオードである。Ｃ１１は平滑用コンデンサである。抵抗Ｒ１１は電池に充電される電流値を測定するためのセンス抵抗であり，ＩＣ１１はセンス抵抗中を流れる電流による電圧降下を測定して電流値を定電流制御部１３０にフィードバックするための誤差増幅器である。フォト・カプラー１０３は誤差増幅器ＩＣ１１の情報を定電流制御部１３０に伝えるための回路である。
【０１５４】
ＤＣコネクター１０２にＡＣアダプター等が接続され外部より電力が供給されているとき，ＤＣ−ＤＣコンバータ１０１にはダイオードＤ１１を介して外部電力が印加され，ＤＣ−ＤＣコンバータ１０１は装置が必要とする電圧を作成する。このとき，外部電源から供給される電力は二次電池１４０の正極側に印加されるが，二次電池１４０の負極側はＤＣコネクター１０２のグランド側接点回路１６０およびトランジスタＦＥＴ１２／ＦＥＴ１３により装置グランド（外部電源の負極）とは遮断されているため電力が供給されることはない。
【０１５５】
外部より電力が供給されているとき，二次電池１４０に対して電力が供給され充電が行われるのは，充電制御部１１０の指示により充電用定電流回路が充電用の電力を作成しているときだけである。充電用定電流回路が動作しているとき外部回路から供給される電力は，メイン・スイッチング・トランジスタＦＥＴ１１により交流信号に変換されＬ１１に加えられＬ１２に伝えられる。Ｌ１２に伝えられた電圧は整流ダイオードＤ１３によって直流に変換され，二次電池１４０の正極に印加される。
【０１５６】
充電用定電流回路の電流は，ダイオードＤ１３を介して内蔵二次電池１４０に加えられるが，二次電池１４０の負極側はＤＣコネクター１０２のグランド側接点回路１６０およびトランジスタＦＥＴ１２／ＦＥＴ１３により装置グランドと遮断されているため，定電流回路で作成される電力は全て内蔵二次電池１４０にのみ流れる。また，充電用定電流回路の正極側は装置のプラス電位側とは接続されているが，負電位側は電池の負電極以外には接続されていないため，装置のプラス電位に影響を与えることはない。
【０１５７】
充電制御部１１０の指示により充電用定電流回路が停止しているときは，トランジスタＦＥＴ１１は，ｏｆｆ状態に保たれるため入力電力がＬ１２側に伝播されることはない。また，ダイオードＤ１３は二次電池１４０に対して逆方向に接続されているため，二次電池１４０の電流がＬ１２を介して放電されることはない。
【０１５８】
ＤＣコネクター１０２の挿抜により外部からの電力供給が途絶えたとき，二次電池１４０の正極は直接ＤＣ−ＤＣコンバータ１０１に接続されており，また二次電池１４０の負極もＤＣコネクター１０２の接点を介して装置グランドに接続されるために，二次電池１４０の電圧がそのままＤＣ−ＤＣコンバータ１０１に伝えられる。一方，ダイオードＤ１１により二次電池１４０からの出力がＤＣ−ＤＣコンバータ１０１以外への電力流出を防止する。
【０１５９】
また，ＤＣコネクター１０２にＡＣアダプター等が接続されているが，ＡＣアダプターにＡＣ電源が供給されていない等の理由によりＡＣアダプターが非動作状態にあるとき，二次電池１４０の負極側がＤＣコネクター１０２の接点を介して直接装置グランドに接続されない状態においては，トランジスタＦＥＴ１２／ＦＥＴ１３がｏｎ状態であるため，トランジスタＦＥＴ１２／ＦＥＴ１３を介して，二次電池１４０の負極側と装置のグランド側が接続される。
【０１６０】
以上説明したように本実施の形態では，装置のグランド側と電池の負極側を切り離すための電気的なスイッチ回路１５０を設け，このスイッチ回路１５０の切り換えにより充電器１２０と二次電池１４０の閉ループを構成し，充電を行うようにしたことにより，ＤＣ−ＩＮ入力から電池への充電防止用のダイオード（図１２に示すダイオードＤ６２等）を不要とする。これにより，このダイオードでの電圧降下による電力損失がなくなり，電池利用効率の向上を計ることが可能となった。
【０１６１】
また，昇圧型ＤＣ−ＤＣコンバータを採用した回路においても，本充電方式では充電器と電池の閉ループを構成することにより充電を行うため，ＤＣ−ＤＣコンバータの回路にはＤＣ−ＩＮの電圧以上の電圧が印加されることがないため，チョークコイル方式の昇圧型ＤＣ−ＤＣコンバータを採用することが可能となり，ＤＣ−ＤＣコンバータの効率を高めることができる。
【０１６２】
図４は，図１（Ａ）の本発明に対応する他の実施の形態を示す図である。前述した図３に示す実施の形態では，装置のグランド側と電池の負極側を切り離すための電気的なスイッチ回路としてＤＣコネクター１０２のメカニカル接点を利用した場合について説明したが，ＤＣコネクターのメカニカル接点が利用できない場合は，図４に示すＤＣコネクター１０５の回路に示すように単にメカニカル接点が使用できないだけであり，トランジスタＦＥＴ１２／ＦＥＴ１３を介して電池の負極と装置グランドの接続切り離しが行われるだけである。
【０１６３】
この場合，メカニカル接点の接触抵抗が２０ｍΩ前後なのに対して，ＦＥＴスイッチのｏｎ抵抗は約５０ｍΩ程度なので，電界効果トランジスタ（ＦＥＴ）２個で約１００ｍΩとなり若干効率が低下するが，ダイオードによるＶｆロスと比較した場合は，数十倍も効率が良くなる。
【０１６４】
次に，図５に従って，図１（Ｂ）に示す関連発明に対応する実施の形態を説明する。
【０１６５】
本実施の形態では，装置側の放電禁止／許可のスイッチ回路による電力損失を削減することを目的として，電池の過放電を防止するための過放電防止用スイッチ回路を内蔵した充電可能な二次電池の電池パックにおいて，過放電防止用スイッチ回路のｏｎ／ｏｆｆを制御するための信号を外部からも入力可能とし，この端子への制御信号により，強制的に過放電防止用スイッチ回路をｏｆｆさせる機能を設けることにより，過放電防止用スイッチ回路をバッテリーからの放電禁止／許可制御にも使用する。
【０１６６】
図５において，２００（２００’も同様）は電池パック，２１０は二次電池，２２０は電池パック２００内の過放電を防止する制御部，２４０は電池パックのプラス端子，２５０は電池パックのマイナス端子，２６０は放電制御用端子，２７０は電力を消費する電子機器の装置，２８１は装置内の放電禁止／許可の制御部，Ｒ２０〜Ｒ２９は抵抗，ＦＥＴ２１，ＦＥＴ２２はスイッチ回路を構成する電界効果トランジスタ，Ｄ２１はダイオードを表す。
【０１６７】
図５に示す装置２７０は，二つの電池パック２００，２００’とＡＣアダプター等の外部からの給電（ＤＣ−ＩＮ）のいずれかより電力の供給を受けて動作する。ここに電池パック２００（以下，電池Ａという）と電池パック２００’（以下，電池Ｂという）とは同一構造となっている。
【０１６８】
ダイオードＤ２１は，装置２７０の電力が電池Ａまたは電池Ｂにより供給されるとき，電池からの電力がＤＣ−ＩＮ側へ逆流するのを防止するためのダイオードである。抵抗Ｒ２４／Ｒ２５は，ＤＣ−ＩＮより電力供給があるかないかを識別するための電圧検出用の抵抗である。抵抗Ｒ２６／Ｒ２７は，電池Ａから電力供給が可能かどうかを識別するための電圧検出用の抵抗である。抵抗Ｒ２８／Ｒ２９は，電池Ｂから電力供給が可能かどうかを識別するための電圧検出用の抵抗である。
【０１６９】
今，装置への電力供給の順序を，▲１▼ＤＣ−ＩＮ，▲２▼電池Ａ，▲３▼電池Ｂの順で順序付けをしてあると仮定する。抵抗Ｒ２４／Ｒ２５によりＤＣ−ＩＮから電力供給があることが検出された場合，ＤＣ−ＩＮからの電力が電池Ａまたは電池Ｂへ逆流するのを防止するため，および電池Ａおよび電池Ｂからの電力供給による電池の消耗を回避するために，制御部２８１は電池Ａおよび電池Ｂに対する制御信号のＣ端子（放電制御用端子２６０，２６０’）にｏｆｆ信号を送出して，電池パック内の過放電防止用のトランジスタＦＥＴ２１／ＦＥＴ２２等をｏｆｆさせる。
【０１７０】
次に，抵抗Ｒ２４／Ｒ２５によりＤＣ−ＩＮより電力供給が途絶えたことが検出されると，制御部２８１は電池Ａに対して放電を開始するように電池Ａの放電制御用端子（Ｃ端子）２６０にｏｎ信号を送出することにより，電池ＡのトランジスタＦＥＴ２１／ＦＥＴ２２をｏｎにして電池Ａからの電力供給を行う。このとき電池Ｂからの放電が行われないように，電池Ｂに対してはトランジスタＦＥＴ２１’／ＦＥＴ２２’がｏｆｆ状態に保たれるように，放電制御用端子（Ｃ端子）２６０’にｏｆｆ信号を送出する（このとき，電池Ｂに対してもｏｎ信号を送出すると電池Ａと電池Ｂの両方から同時に装置に給電が行われる）。
【０１７１】
次に，抵抗Ｒ２６／Ｒ２７により電池Ａの放電が終了し，二次電池２１０が空になったことが検出されると，制御部２８１は電池Ｂに対して放電を開始するように電池ＢのＣ端子（放電制御用端子２６０’）にｏｎ信号を送出することにより，電池ＢのトランジスタＦＥＴ２１’／ＦＥＴ２２’をｏｎにして電池Ｂからの電力供給を行う。それと同時に電池ＡのＣ端子（放電制御用端子２６０）にはｏｆｆ信号を送出することにより，電池ＡのトランジスタＦＥＴ２１／ＦＥＴ２２をｏｆｆ状態にし電池Ａの過放電を防止するとともに，電池Ｂの電流が電池Ａに逆流することも防止する。
【０１７２】
図６は，図５に示す電池パック内の過放電防止制御回路の詳細を示す。
【０１７３】
図６において，トランジスタＦＥＴ２１は，電池が過放電状態（電池電圧が規定値以下のとき）や負荷短絡により電池から過大電流が流れた場合，および放電制御用端子（Ｃ端子）２６０からの信号により電池の放電が禁止されているときに，回路を遮断するためのスイッチ回路であり，比較器（誤差増幅器）ＩＣ２１／ＩＣ２２によりｏｎ／ｏｆｆされる。トランジスタＦＥＴ２２は電池への充電電圧が規定値以上になったとき電池を保護するために回路を遮断する，あるいはＣ端子からの信号により電池への充電が禁止されているときに電池への充電を遮断するためのスイッチ回路であり，比較器ＩＣ２３／ＩＣ２５によりｏｎ／ｏｆｆされる。
【０１７４】
比較器ＩＣ２１は，抵抗Ｒ２０／Ｒ２１により二次電池２１０の電圧を検出して基準電圧ｅ２２と比較するための３入力比較器であり，電池の放電により電池電圧が基準電圧ｅ２２より低下した場合または放電制御用端子２６０よりＬｏｗレベルが入力されると，Ｌｏｗレベルを出力して，比較器ＩＣ２４を経由してトランジスタＦＥＴ２１をｏｆｆするための過放電防止用の回路である。放電制御用端子２６０からの入力がない場合には，抵抗Ｒ２００により比較器ＩＣ２１のプラス端子２４０はＨｉｇｈ状態に保持されるため，従来回路の動作と同じである。放電制御用端子２６０からＬｏｗレベルが入力された場合は，電池の電圧に関係なく比較器ＩＣ２１はＬｏｗレベルを出力し，トランジスタＦＥＴ２１をｏｆｆする。
【０１７５】
過放電防止回路の説明を簡略化するためにＩＣ２１を比較器として説明したが，実際の回路構成においては電池の内部抵抗Ｒｉによる電池電圧の変動によるＩＣ２１の出力の変動を防止するために，ＩＣ２１がＬｏｗレベルを出力したことを記憶するためのフリップフロップ（ＦＦ）回路や，充電等により電池の電圧が復旧したときにＦＦの記憶内容をリセットするための解除手段を有していることは言うまでもない。
【０１７６】
ただし，放電制御用端子２６０からの入力により制御される場合には，Ｌｏｗレベルを記憶するためのＦＦを制御する必要はない。
【０１７７】
比較器ＩＣ２２は負荷短絡により電池から過大電流が流れた場合に回路を遮断して短絡保護を行う過電流検出用の比較回路である。スイッチ回路を構成するトランジスタＦＥＴ２１／ＦＥＴ２２による電圧降下を測定して過電流の測定を行う。負荷短絡により過大電流が流れるとトランジスタＦＥＴ２１／ＦＥＴ２２のｏｎ抵抗により電池パック２００のマイナス端子２５０側の電位が電流値に比例して上昇し，ｅ２１の電位も上昇するため，規定値以上の電流が流れるとｅ２１とｅ２２の電位を比較している比較器ＩＣ２２がＬｏｗレベルを出力し，比較器ＩＣ２４を経由してトランジスタＦＥＴ２１をｏｆｆする。
【０１７８】
過電流防止回路の説明を簡略化するために比較器ＩＣ２２を比較器として説明したが，実際の回路構成においてはトランジスタＦＥＴ２１をｏｆｆさせたことにより比較器ＩＣ２２の出力が即Ｈｉｇｈレベルに復帰することによるＩＣ２２の出力の変動を防止するために，比較器ＩＣ２２がＬｏｗレベルを出力したことを記憶するためのフリップフロップ（ＦＦ）回路や，短絡状態が解除されたときにＦＦの記憶内容をリセットするための解除手段を有していることは言うまでもない。
【０１７９】
比較器ＩＣ２４は３入力の比較器であり，比較器ＩＣ２１／ＩＣ２２からの入力の両方が基準電圧ｅ２２より高いときＨｉｇｈレベルを出力してトランジスタＦＥＴ２１をｏｎにする。従って，以上述べたように電池が過放電状態または短絡により過電流が流れた場合は，比較器ＩＣ２１／ＩＣ２２／ＩＣ２４によりトランジスタＦＥＴ２１がｏｆｆされることにより回路が遮断される。
【０１８０】
比較器ＩＣ２３は充電時に電池に定格以上の電圧が印加されるのを防止するための過電圧検出回路であり，抵抗Ｒ２２／Ｒ２３により充電電圧を測定して基準電圧ｅ２１と比較する。比較の結果，充電電圧が定格以上であるとＬｏｗレベルを出力する。
【０１８１】
比較器ＩＣ２５は３入力の比較器であり，比較器ＩＣ２３および放電制御用端子２６０からの入力の両方が基準電圧ｅ２１より高いときＨｉｇｈレベルを出力してトランジスタＦＥＴ２２をｏｎにし，いずれか片方が低い時には，Ｌｏｗレベルを出力してトランジスタＦＥＴ２２をｏｆｆさせ充電する方向への電流の流れを遮断する。
【０１８２】
従って，放電制御用端子２６０からＬｏｗレベルが入力されると無条件にトランジスタＦＥＴ２２はｏｆｆし，電池への充電が禁止される。放電制御用端子２６０からの入力がない場合は，抵抗Ｒ２００により比較器ＩＣ２５のプラス端子２４０はＨｉｇｈ状態に保持されるため，従来通り比較器ＩＣ２３の出力だけでトランジスタＦＥＴ２２のｏｎ／ｏｆｆが制御される。
【０１８３】
電池が過放電状態にありトランジスタＦＥＴ２１がｏｆｆ状態であっても電池のプラス端子２４０に充電電圧が印加された場合，トランジスタＦＥＴ２１は寄生ダイオードにより電流の流れを阻止することはないため電池は充電される。また，電池の充電によって電池の電位が上昇すると，抵抗Ｒ２０／Ｒ２１により検出される電位がｅ２２より大となり，比較器ＩＣ２１がＨｉｇｈレベルを出力する。このときトランジスタＦＥＴ２１／ＦＥＴ２２を流れる電流の向きは放電時とは逆でありｅ２１の電位がｅ２２の電位を上回ることはなく，比較器ＩＣ２２もＨｉｇｈレベルを出力する。その結果比較器ＩＣ２４によりトランジスタＦＥＴ２１がｏｎとなる。
【０１８４】
放電制御用端子２６０によりｏｆｆが指示されている場合には，トランジスタＦＥＴ２１／ＦＥＴ２２の両方がｏｆｆとなるため，充電と放電の両方が禁止される。放電制御用端子２６０端子によりｏｎが指示されている，または放電制御用端子２６０がＯｐｅｎの時は，放電制御用端子２６０に制御されず，従来通りの過放電防止回路として動作する。
【０１８５】
以上述べたように，本実施の形態によれば電池パック内の過放電防止用スイッチ回路を装置側が共用することができ，従来装置に内蔵していた放電順序制御用のトランジスタ（図１４に示すＦＥＴ８４／ＦＥＴ８５）および電池へのＤＣ−ＩＮ入力の逆流防止用ダイオード（図１４に示すダイオードＤ８２／Ｄ８３）を削除することが可能となるため，これらのトランジスタおよびダイオードによる電力損失が零となり，電池の効率的な運用が可能となる。
【０１８６】
次に，図２（Ａ）の本発明に関連する他の発明に対応する実施の形態を説明する。
【０１８７】
ここでは，二次電池の充電を目的とした定電流回路において，定電流制御回路の電圧制御用誤差増幅器の電圧検出入力に対して複数の電圧を入力できるようにしたこと，および電流測定用誤差増幅器を複数個設けたことを特徴とする定電圧定電流回路方式を提案し，この定電圧定電流回路を用いることにより，１個の定電流回路から複数の二次電池に対して，同時に並列充電を行うことを可能としている。また，この定電圧定電流回路を用いて複数の二次電池の並列充電を行うことにより，定電流回路と複数の二次電池間の電流経路を制御するためのスイッチ回路を不要としたことを特徴とする。
【０１８８】
図７および図８は，図２（Ａ）の本発明に関連する他の発明に対応する実施の形態を示す図である。図中，３００は充電器，３０１はＤＣコネクター，３０２はＤＣ−ＤＣコンバータ，３１０は定電流制御を行う制御回路，３６０，３７０は二次電池の電池パック（以下，電池Ａ，電池Ｂという），Ｔｒ３１はトランジスタ，Ｄ３１〜Ｄ３４はダイオード，Ｆ３１，Ｆ３２はヒューズ，Ｌ３１／Ｌ３２はトランス，Ｃ３１はコンデンサ，Ｒ３０〜Ｒ３００は抵抗を表す。また，図８において，３１１は三角波発振器，３２０〜３４０は誤差増幅器，３５１はＰＷＭ比較器，３５２はドライブ回路を表す。
【０１８９】
ＤＣコネクター３０１は装置をＡＣアダプター等の外部電源により運転するとき，あるいは装置内蔵の二次電池に充電を行うために，外部から電源を供給するためのコネクターである。ＤＣ−ＤＣコンバータ３０２は，ＤＣコネクター３０１経由で供給される外部電源，または内蔵二次電池から電力の供給を受けて，装置が必要とする電圧を作成するための装置用の電源である。
【０１９０】
ＤＣコネクター３０１は，グランド側にメカニカル接点を持っており，ＡＣアダプターが非接続状態にあるときは，このメカニカル接点により電池の負極側と装置のグランドが接続される。
【０１９１】
ＡＣアダプターが接続状態にあるときには，このメカニカル接点により電池の負極側と装置のグランドが切り離され，電池への充電を防止する。
【０１９２】
ダイオードＤ３１は，ＤＣコネクター３０１にＡＣアダプター等が接続されているが，ＡＣアダプターにＡＣ電源が供給されていない等の理由によりＡＣアダプターが非動作状態にあるとき，内蔵二次電池から電力が外部に流出するのを防止するための逆流阻止用保護ダイオードである。
【０１９３】
ダイオードＤ３２は，ＤＣコネクター３０１にＡＣアダプターが接続されているがＡＣ入力が供給されていない状態が発生したときに，ＤＣ−ＤＣコンバータ３０２への電力供給が遮断されるのを防止するための瞬断対策用ダイオードである。
【０１９４】
充電器３００は，ＰＷＭ制御方式で動作する充電用の定電流回路である。トランジスタＴｒ３１は，スイッチング用のメイン・トランジスタであり，制御回路３１０によりｏｎ／ｏｆｆの制御が行われる。トランスＬ３１／Ｌ３２は，電圧変換用のトランスであり，ダイオードＤ３３は整流用のダイオードである。抵抗Ｒ３３／Ｒ３４は電池Ａへの充電電圧を検出するための抵抗であり，抵抗Ｒ３９／Ｒ３００は電池Ｂへの充電電圧を検出するための抵抗であり，抵抗Ｒ３３／Ｒ３４と抵抗Ｒ３９／Ｒ３００により検出した電圧が制御回路３１０に加えられる。ダイオードＤ３４はＺｅｎｅｒダイオードであり，抵抗Ｒ３５とともに基準電圧の作成を行う。
【０１９５】
抵抗Ｒ３０は電池Ａに充電される電流値を測定するためのセンス抵抗であり，センス抵抗中を流れる電流による電圧降下を，抵抗Ｒ３１／Ｒ３２および抵抗Ｒ３３／Ｒ３４により分圧して，制御回路３１０の誤差増幅器に入力する。抵抗Ｒ３６は電池Ｂに充電される電流値を測定するためのセンス抵抗であり，センス抵抗中を流れる電流による電圧降下を，抵抗Ｒ３７／Ｒ３８および抵抗Ｒ３９／Ｒ３００により分圧して，制御回路３１０の誤差増幅器に入力する。
【０１９６】
図８は，図７のＰＷＭ制御方式の定電流充電器の制御回路３１０の詳細を示したものである。三角波発振器３１１と複数の電流測定用誤差増幅器３２０，３３０と複数の電圧入力が可能な１個の電圧測定用誤差増幅器３４０とＰＷＭ比較器３５１とドライブ回路３５２とから構成される。
【０１９７】
誤差増幅器３２０および３３０は，定電流回路の出力電流を検出しＰＷＭ制御信号を出力するアンプである。誤差増幅器３４０は，複数の電圧入力と基準電圧ｅ３１を比較して増幅するための増幅器であり，入力電圧の最大値と基準電圧との差を増幅する。
【０１９８】
ＰＷＭ比較器３５１は，複数の反転入力と１つの非反転入力を持つ電圧比較器で，入力電圧に応じて出力パルスの幅のオン時間を制御する電圧パルス幅変換器である。三角波発振器３１１からの三角波が誤差増幅器出力電圧とＤＴ端子で規定される電圧のいずれよりも高い期間にドライブ回路３５２をオンさせることにより図７に示す出力トランジスタＴｒ３１をオンさせる。
【０１９９】
ドライブ回路３５２は，メイン・トランジスタＴｒ３１を駆動するためのドライバーでありＰＷＭ比較器３５１の出力がオンである期間，トランジスタＴｒ３１をドライブしてｏｎさせる。
【０２００】
三角波発振器３１１は，電圧をパルス幅に変換するための変換用三角波を一定の周波数で発振させるための発振器である。
【０２０１】
この定電流回路は，ＰＷＭ方式で動作する定電圧定電流制御回路であり，通常のＰＷＭ方式の定電流回路と動作は同じである。異なるのは，電流制御用の誤差増幅器が複数個あることと，電圧制御用の誤差増幅器の電圧入力が複数個あることである。
【０２０２】
図８において，ＰＷＭ比較器３５１は誤差増幅器３２０〜３４０の出力とＤＴ端子入力電圧を三角波発振器３１１の出力と比較して，そのいずれよりも三角波発振器３１１の電圧の方が高いときのみ，ドライブ回路３５２をオンさせることにより出力トランジスタＴｒ３１をオンさせる。
【０２０３】
従って，電流測定用誤差増幅器３２０と誤差増幅器３３０とからの入力に対して，電流の大きい方の誤差増幅器によって制限される電流値で動作する。同様に電圧測定用の誤差増幅器３４０は一番電圧が高い入力によって制御されるため，複数の入力のうち最大の電圧のもので制御される。
【０２０４】
その結果，電流測定用誤差増幅器を複数個設け，電圧制御用誤差増幅器の電圧検出入力に対して複数の電圧を入力できるようにした図８に示すような定電圧定電流制御回路では，複数の入力に対して最初に制限値に達した誤差増幅器により制限される電流値および電圧値で動作する定電圧定電流回路が構成されることとなる。
【０２０５】
この定電圧定電流回路を用いて，複数の二次電池に並列充電を行うと，並列に接続される電池のいずれも制限電流以内で充電が行われる。また，並列に接続される電池のいずれも制限電圧内での充電を行うことが可能となる。
【０２０６】
図７における電池の並列充電についてさらに説明する。
【０２０７】
ＤＣコネクター３０１にＡＣアダプター等が接続され外部より電力が供給されているとき，ＤＣ−ＤＣコンバータ３０２にはダイオードＤ３１を介して外部電力が印加され，ＤＣ−ＤＣコンバータ３０２は装置が必要とする電圧を作成する。このとき，外部電源から供給される電力は二次電池の正極側に印加されるが，二次電池の負極側はＤＣコネクター３０１の接点回路により装置グランド（外部電源の負極）とは遮断されているため電力が供給されることはない。
【０２０８】
外部より電力が供給されているとき，二次電池に対して電力が供給され充電が行われるのは，充電制御部の指示により充電用定電流回路が充電用の電力を作成しているときだけである。充電用定電流回路が動作しているとき外部回路から供給される電力は，メイン・スイッチング・トランジスタＴｒ３１により交流信号に変換されＬ３１に加えられＬ３２に伝えられる。Ｌ３２に伝えられた電圧は整流ダイオードＤ３３によって直流に変換され，電池Ａおよび電池Ｂの正極に印加される。
【０２０９】
電池Ａに流れる電流値は電流センス抵抗Ｒ３０により測定され，センス抵抗Ｒ３０の両端の電圧を抵抗Ｒ３１／Ｒ３２および抵抗Ｒ３３／Ｒ３４により分圧した後，定電流回路の制御回路３１０の誤差増幅器３２０に加えられ，指定される電流の最大値を越えないように制御される。同様に，電池Ｂに流れる電流値は電流センス抵抗Ｒ３６により測定され，センス抵抗Ｒ３６の両端の電圧を抵抗Ｒ３７／Ｒ３８および抵抗Ｒ３９／Ｒ３００により分圧した後，定電流回路の制御回路３１０の誤差増幅器３３０に加えられ，指定される電流の最大値を越えないように制御される。
【０２１０】
電池Ａに印加される電圧は電圧センス抵抗Ｒ３３／Ｒ３４で測定され，定電流回路の制御回路３１０の誤差増幅器３４０に加えられ，指定される電圧の最大値を越えないように制御される。同様に，電池Ｂに印加される電圧は電圧センス抵抗Ｒ３９／Ｒ３００で測定され，定電流回路の制御回路３１０の誤差増幅器３４０に加えられ，指定される電圧の最大値を越えないように制御される。
【０２１１】
充電用定電流回路からの電流はダイオードＤ３３を介して電池Ａおよび電池Ｂに加えられるが，電池Ａおよび電池Ｂの負極側はＤＣコネクター３０１の接点回路により装置グランドと遮断されているため，定電流回路で作成される電力は全て電池Ａおよび電池Ｂにのみ流れる。また，充電用定電流回路の正極側は装置のプラス電位側とは接続されているが，負電位側は電池の負電極以外には接続されていないため，装置のプラス電位に影響を与えることはない。
【０２１２】
充電制御部の指示により充電用定電流回路が停止しているときは，トランジスタＴｒ３１はｏｆｆ状態に保たれるため入力電力がＬ３２側に伝播されることはない。また，ダイオードＤ３３は電池に対して逆方向に接続されているため，電池の電流がＬ３２を介して放電されることはない。
【０２１３】
ＤＣコネクター３０１の挿抜により外部からの電力供給が途絶えたとき，二次電池の正極は直接ＤＣ−ＤＣコンバータ３０２に接続されており，また二次電池の負極もＤＣコネクター３０１の接点を介して装置グランドに接続されるために二次電池の電圧がそのままＤＣ−ＤＣコンバータ３０２に伝えられる。一方，ダイオードＤ３１により電池からの出力がＤＣ−ＤＣコンバータ３０２以外への電力流出を防止する。
【０２１４】
また，ＤＣコネクター３０１にＡＣアダプター等が接続されているが，ＡＣアダプターにＡＣ電源が供給されていない等の理由によりＡＣアダプターが非動作状態にあるとき，二次電池の負極側がＤＣコネクター３０１の接点を介して直接装置グランドに接続されない状態においては，ダイオードＤ３２を介して二次電池の負極側と装置のグランド側が接続される。
【０２１５】
以上説明したように本実施の形態では，１個の定電流回路から複数の二次電池に対して，同時に並列充電を行うことが可能となり，また，定電流回路と複数の二次電池間の電流経路を制御するためのスイッチ回路を不要としたことにより，電池からの放電時のスイッチ回路での電圧降下による電力損失がなくなり，電池利用効率の向上を計ることが可能となった。
【０２１６】
次に，図２（Ｂ）に示す関連発明に対応する実施の形態を説明する。
【０２１７】
本実施の形態では，１個の充電回路と複数の二次電池の間をスイッチ回路により時分割で切り換えることにより，複数の電池に対して同時に充電を行うようにした。また，１個の定電流回路で複数の二次電池を並列充電することにより，複数の二次電池の並列放電を可能とした。１個の定電流回路で複数の電池に対する充電電流を個々に管理できるように，複数の二次電池に対して時分割多重により充電を行うことにより，マクロな時間単位では複数の二次電池に対する並列充電を可能としている。
【０２１８】
図９は，図２（Ｂ）の関連発明に対応する実施の形態を示す図である。図９において，４００は充電器，４０１はＤＣコネクター，４０２はＤＣ−ＤＣコンバータ，４０３は定電流制御を行う制御部，４１０，４２０は二次電池の電池パック（以下，電池Ａ，電池Ｂという），４５０は充電制御部，４６０は切換制御手段，Ｔｒ４１，ＦＥＴ４１〜ＦＥＴ４４はトランジスタ，Ｄ４１，Ｄ４４，Ｄ４５はダイオード，Ｆ４１，Ｆ４２はヒューズ，Ｌ４２はチョークコイル，Ｃ４１は平滑用コンデンサ，Ｒ４０〜Ｒ４５は抵抗を表す。
【０２１９】
ＤＣコネクター４０１は，装置をＡＣアダプター等の外部電源により運転するとき，あるいは装置内蔵の二次電池に充電を行うために，外部から電源を供給するためのコネクターである。ＤＣ−ＤＣコンバータ４０２はＤＣコネクター４０１経由で供給される外部電源または，内蔵二次電池から電力の供給を受けて，装置が必要とする電圧を作成するための装置用の電源である。
【０２２０】
充電器４００はＤＣコネクター４０１経由で外部より電力が供給されているとき，二次電池を充電するのに必要な電力を作成するための定電流電源である。
【０２２１】
ダイオードＤ４１およびＤ４５は，ＤＣコネクター４０１にＡＣアダプター等が接続されているが，ＡＣアダプターにＡＣ電源が供給されていない等の理由によりＡＣアダプターが非動作状態にあるとき，内蔵二次電池から電力が外部に流出するのを防止するための逆流阻止用保護ダイオードである。
【０２２２】
トランジスタＦＥＴ４３およびＦＥＴ４４は，ＤＣ−ＤＣコンバータ４０２に二次電池からの電力を供給すると共に，ＤＣコネクター４０１経由で外部より電力が供給されているとき，その電圧が二次電池に印加されるのを防止するための保護ダイオードの代わりの動作を行うスイッチ回路でありＰ型のＤＭＯＳ−ＦＥＴである。
【０２２３】
抵抗Ｒ４５はＤＣコネクター４０１経由で外部より電力が供給されていることを検出してトランジスタＦＥＴ４３およびＦＥＴ４４のｏｎ／ｏｆｆを制御するための電圧検出用抵抗である。
【０２２４】
トランジスタＦＥＴ４１およびＦＥＴ４２は充電する電池を選択するためのスイッチ回路であり，充電器４００から供給される充電電流を，電池Ａに流すか，電池Ｂに流すのかを制御する。このスイッチ回路は，定電流回路が動作しているときに，充電制御部４５０の切換制御手段４６０により時分割多重でｏｎ／ｏｆｆが繰り返される。
【０２２５】
充電器４００は，充電用の定電流回路であり，メイン・スイッチング・トランジスタＴｒ４１，チョークコイルＬ４２，フライホィール・ダイオードＤ４４，平滑用コンデンサＣ４１，電流制御用のセンス抵抗Ｒ４０〜Ｒ４５および制御部４０３で構成される。充電用定電流回路の構成はスイッチング方式のレギュレーター等の一般的なものであるため，ここでの詳細な説明は省略する。
【０２２６】
ＤＣコネクター４０１にＡＣアダプター等が接続され外部より電力が供給されているとき，ＤＣ−ＤＣコンバータ４０２にはダイオードＤ４１を介して外部電力が印加され，ＤＣ−ＤＣコンバータ４０２は装置が必要とする電圧を作成する。トランジスタＦＥＴ４３／ＦＥＴ４４のソース電極はダイオードＤ４１のカソード側に接続され，ドレイン電極は電池Ａまたは電池Ｂの正極側に接続されている。トランジスタＦＥＴ４３／ＦＥＴ４４のゲート電極はダイオードＤ４１のアノード側に接続されると共に抵抗Ｒ４５を介してグランドに接地されている。
【０２２７】
ＤＣ−ＩＮに電圧が印加されると，トランジスタＦＥＴ４３／ＦＥＴ４４のゲートにＤＣ−ＩＮの電圧が印加されるため，トランジスタＦＥＴ４３／ＦＥＴ４４はｏｆｆ状態となる。トランジスタＦＥＴ４３／ＦＥＴ４４の内部寄生ダイオードはドレイン側からソース側へ向かって順方向となるためＤＣ−ＩＮ入力により逆バイアス状態となり，ＤＣ−ＩＮ入力はトランジスタＦＥＴ４３／ＦＥＴ４４に阻止され二次電池に印加されることはない。
【０２２８】
ＤＣ−ＩＮがｏｆｆ状態となり外部からの電力が途絶えると，トランジスタＦＥＴ４３／ＦＥＴ４４の内部寄生ダイオードにより電池Ａおよび電池Ｂの電力がＤＣ−ＤＣコンバータ４０２に供給される。同時にトランジスタＦＥＴ４３／ＦＥＴ４４のゲート電極は抵抗Ｒ４５により接地されているため，ソース電位に対して負の電圧を与えることとなりｏｎ状態となる。トランジスタＦＥＴ４３／ＦＥＴ４４がｏｎとなることにより，電池Ａおよび電池Ｂの両方から放電が開始される。
【０２２９】
トランジスタＦＥＴ４３／ＦＥＴ４４がｏｎとなることで電池Ａおよび電池Ｂの正極同志が接続され，電池Ａと電池Ｂは並列接続状態となるが，電池Ａと電池Ｂが同じように充電されていれば，電池Ａと電池Ｂの間で充放電が行われることはない。
【０２３０】
ダイオードの順方向電圧降下は０．３５Ｖ〜０．５５Ｖであるが，トランジスタＦＥＴ４３／ＦＥＴ４４のｏｎ抵抗は１００ｍΩ以下にすることが可能であるため，ダイオードを挿入した場合に比してスイッチ部での電力損失は数分の１に低減される。
【０２３１】
また，ダイオードＤ４１およびＤ４５により電池からの出力がＤＣ−ＤＣコンバータ４０２以外への電力流出を防止する。
【０２３２】
外部より電力が供給されているとき，二次電池に対して電力が供給され充電が行われるのは，充電が指示されており充電用定電流回路が動作し充電用の電力を作成しているときだけである。充電用定電流回路が停止しているときは，トランジスタＴｒ４１により回路が遮断されるため電池への電力供給は行われない。
【０２３３】
ＡＣアダプターにより外部より電力が供給され充電用定電流回路が動作しているとき，充電器４００で作成された電力は，スイッチ用トランジスタＦＥＴ４１またはＦＥＴ４２を経て電池Ａまたは電池Ｂを充電する。電池Ａを充電するにはトランジスタＦＥＴ４１をｏｎとして電池Ａへの電流パスを閉じる。このときトランジスタＦＥＴ４２はｏｆｆ状態であるため定電流回路からの電流は全て電池Ａを充電するのに使用される。
【０２３４】
トランジスタＦＥＴ４３／ＦＥＴ４４は，ＤＣ−ＩＮからの電圧によりｏｆｆ状態にあり，またトランジスタＦＥＴ４３／ＦＥＴ４４の内部寄生ダイオードはＤＣ−ＩＮに対して逆バイアス状態にあるため，電池Ａの充電電流がＤＣ−ＤＣコンバータ４０２側へ漏洩することはない。同様に電池Ａの充電電流が電池Ｂ側へ漏洩することはない。
【０２３５】
従来方式と本方式との間で，回路構成上で放電用のスイッチ回路が不要になった違いのほか，充放電の制御方式に違いがある。
【０２３６】
従来は，充電の開始から終了まで充電器が充電対象電池に固定的に接続されたままの状態であり，電池への充電電流は連続して流れていた。これに対し，本方式は，充電開始から終了までの間に充電器４００が複数の電池との間で時分割多重で接続される点が異なり，電池への充電電流は不連続となり，パルス状に充電される。
【０２３７】
電池を充電する方法として，電池に連続して電流を流す連続充電の手法と，パルス状に電流を流す不連続充電の手法がある。パルス充電（不連続充電）では，電池に一定期間電流を流した後，休止サイクルを設け，この充電サイクルと休止サイクルを交互に繰り返しながら充電していく。
【０２３８】
本方式では，パルス充電方式により電池に一定期間電流を流した後，休止サイクルを設けるが，この休止サイクルの間に別の電池に充電電流を流すことにより，複数の電池を同時に充電しようとするものである。
【０２３９】
このように，本方式によれば，装置の稼動時間および瞬間的に放電可能な電流値を高めることを目的として複数個の電池を並列接続した装置において，１個の定電流回路で複数の二次電池を並列充電する充電制御方式を実現することが可能となる。
【０２４０】
そのために，１個の定電流回路で複数の電池に対する充電電流を個々に管理できるように，充電用定電流回路と二次電池との間をｏｎ／ｏｆｆするためのスイッチ回路（トランジスタＦＥＴ４１／ＦＥＴ４２）と，このスイッチ回路が同時にｏｎにならないように，任意の時間において１個の二次電池とのみ接続されるように一定の時間で自動的に切り換えるための切換制御手段４６０を設けたこと，およびスイッチ回路を時分割で切り換えることにより，複数の二次電池に対して時分割多重で充電を行うと共に，複数の電池に対する充電電流を個々に管理できるようにしたことにより，複数の二次電池の並列充電を行うようにしたことに特徴がある。
【０２４１】
図１０は，図９に示す制御部４０３および充電制御部４５０による制御フローチャートを示す。充電の場合，図１０（Ａ）に示すように制御する。
【０２４２】
ＤＣ−ＩＮに外部から電力が供給されると，図９に示すトランジスタＦＥＴ４３／ＦＥＴ４４は抵抗Ｒ４５によりｏｆｆ状態になる（Ｓ１）。ＤＣ−ＩＮに外部から電力が供給されたことを確認したならば，以下の処理を行う。まず，トランジスタＦＥＴ４１をｏｎにし，トランジスタＦＥＴ４２をｏｆｆにする（Ｓ２）。次に，ステップＳ３により，トランジスタＴｒ４１をｏｎにする。
【０２４３】
その後，トランジスタＦＥＴ４１をｏｎにし，トランジスタＦＥＴ４２をｏｆｆにして，電池Ａに充電する（Ｓ４）。ステップＳ５によりｔ秒間経過したことを検出したならば，次にトランジスタＦＥＴ４１をｏｆｆ，トランジスタＦＥＴ４２をｏｎにして，電池Ｂへの充電を行う（Ｓ６）。これについても，ステップＳ７によりｔ秒間の経過を待ち，ステップＳ８の判定により充電終了を検出するまで，ステップＳ４〜Ｓ７を繰り返す。充電が終了したならば，トランジスタＴｒ４１をｏｆｆにして充電制御を終了する。
【０２４４】
また，放電時の制御は，図１０（Ｂ）に示すように行われる。
【０２４５】
ステップＳ１１において，ＤＣ−ＩＮへの外部からの電力供給が切断されると，トランジスタＦＥＴ４３／ＦＥＴ４４は抵抗Ｒ４５により自動的にｏｎになる。電池Ａ，電池Ｂは同時に放電状態となる。従って，ステップＳ１２においてロー・バッテリ（Ｌｏｗ  Ｂａｔｔ）を検出すると，電池は両方とも使い果たした状態となっている。この場合には，ステップＳ１３により，装置のロー・バッテリー処理を起動する。
【０２４６】
充電中のあらゆる時点で充電を中止しても，両電池Ａ，Ｂの充電レベルは同じであるので，両電池を同時に放電させても逆流したりすることはない。この回路方式では，充電／放電とも両電池のレベルが同じように推移することが特徴である。
【０２４７】
上記制御フローにおける切替え時間の間隔ｔは，秒単位程度の短い間隔が適当である。切替え時間の間隔を長くすると，充電レベルの違いが出てくるため望ましくない。上記充電制御部４５０における切換制御手段４６０は，例えばマイクロコンピュータを利用したソフトウェア制御によって実現可能である。
【０２４８】
【発明の効果】
以上説明したように，本発明によれば，１個の定電流回路から複数の二次電池に対して，同時に並列充電を行うことが可能となり，また，定電流回路と複数の二次電池間の電流経路を制御するためのスイッチ回路を不要としたことにより，電池からの放電時のスイッチ回路での電圧降下による電力損失がなくなり，電池利用効率を向上させることができるようになる。
【図面の簡単な説明】
【図１】本発明およびそれに関連する発明のブロック図である。
【図２】本発明に関連する発明のブロック図である。
【図３】本発明に対応する実施の形態を示す図である。
【図４】本発明に対応する他の実施の形態を示す図である。
【図５】図１（Ｂ）の関連発明に対応する実施の形態を示す図である。
【図６】図５に示す電池パック内の過放電防止制御回路の詳細を示す図である。
【図７】図２（Ａ）の関連発明に対応する実施の形態を示す図である。
【図８】図７に示す制御回路の詳細を示す図である。
【図９】図２（Ｂ）の関連発明に対応する実施の形態を示す図である。
【図１０】図９に示す実施の形態の制御フローチャートを示す図である。
【図１１】従来方式（降圧型）の例を示す図である。
【図１２】従来方式（チョークコイル方式の昇圧型）の例を示す図である。
【図１３】従来方式（トランス結合方式の昇降圧型）の例を示す図である。
【図１４】過放電防止の従来方式の例を示す図である。
【図１５】従来の電池パック内の過放電防止回路の例を示す図である。
【図１６】１個の充電器で２個の電池に充電する場合の従来方式の例を示す図である。
【図１７】従来の充放電の制御フローチャートを示す図である。
【図１８】２個の充電器で２個の電池に充電する場合の従来方式の例を示す図である。
【符号の説明】
１００  電力消費装置
１１０  充電制御部
１２０  充電器
１３０  定電流制御部
１４０  充電可能な二次電池
１５０  スイッチ回路
２００  電池パック
２１０  充電可能な二次電池
２２０  制御部
２３０  過放電防止用スイッチ回路
２４０  電池パックのプラス端子
２５０  電池パックのマイナス端子
２６０  放電制御用端子
２７０  装置（ＤＣ−ＤＣコンバータ）
２８０  放電禁止／許可制御部
３００  充電器（定電圧定電流回路）
３１０  充電の制御回路（定電圧定電流制御回路）
３２０，３３０  電流測定用誤差増幅器
３４０  電圧制御用誤差増幅器
３５０  比較回路
３６０，３７０  二次電池
４００  充電器
４１０，４２０  二次電池
４３０，４４０  スイッチ回路
４５０  充電制御部
４６０  切換制御手段
【図１】
0003844295.tif 000002
【図２】
0003844295.tif 000003
【図３】
0003844295.tif 000004
【図４】
0003844295.tif 000005
【図５】
0003844295.tif 000006
【図６】
0003844295.tif 000007
【図７】
0003844295.tif 000008
【図８】
0003844295.tif 000009
【図９】
0003844295.tif 000010
【図１０】
0003844295.tif 000011
【図１１】
0003844295.tif 000012
【図１２】
0003844295.tif 000013
【図１３】
0003844295.tif 000014
【図１４】
0003844295.tif 000015
【図１５】
0003844295.tif 000016
【図１６】
0003844295.tif 000017
【図１７】
0003844295.tif 000018
【図１８】
0003844295.tif 000019